【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
シートに画像を形成する画像形成部を有する装置本体と、
装置本体に対して開位置と閉位置との間を移動可能に設けられたドアと、
手差しされたシートを前記画像形成部に給送する、前記ドアに設けられた手差し給送部と、
を備えた画像形成装置において、
装置本体に対して前記ドアを開閉可能に支持する支持機構と、
前記ドアが前記閉位置に位置する場合に、装置本体に対する前記ドアの位置決めを行う位置決め機構と、
を備え、
前記位置決め機構は、前記手差し給送部との間の距離が、前記支持機構と前記手差し給送部との間の距離よりも近くなるように配設されていることを特徴とする画像形成装置。
【請求項２】
前記位置決め機構は、
前記ドアと装置本体とのうちいずれか一方に設けられた凸部と、
前記ドアと装置本体とのうち他方に設けられ前記凸部に嵌合する凹部と、
を有することを特徴とする請求項１に記載の画像形成装置。
【請求項３】
前記位置決め機構は、
前記ドアと装置本体とのうちいずれか一方に設けられた凸部と、
前記ドアと装置本体とのうち他方に設けられ前記凸部に遊嵌する凹部と、
を有し、
前記ドアが前記閉位置に位置する場合、前記凸部と前記凹部とが遊嵌した状態で、自重により移動しようとする前記ドアを装置本体が支持することで、装置本体の高さ方向の位置決めが行われることを特徴とする請求項１に記載の画像形成装置。
【請求項４】
前記ドアは、装置本体に対して軸を中心として回転可能に設けられ、
前記凸部と前記凹部とは、前記ドアが前記閉位置に位置する場合、前記軸の軸方向で嵌合し、前記軸方向の位置決めを行うことを特徴とする請求項３に記載の画像形成装置。
【請求項５】
前記ドアは、装置本体に対して軸を中心として回転可能に設けられ、
前記位置決め機構は、前記凸部と前記凹部との組を複数有し、
前記複数の組のうち少なくとも１つの組は、前記ドアが前記閉位置に位置する場合、前記軸の軸方向で嵌合し、前記軸方向の位置決めを行うことを特徴とする請求項３に記載の画像形成装置。
【請求項６】
前記ドアは、装置本体に対して回転可能に設けられ、
前記支持機構は、前記ドアと装置本体とのうちいずれか一方に設けられた回転軸と、前記ドアと装置本体とのうち他方に設けられ前記回転軸を軸支する軸受けとを有することを特徴とする請求項１乃至５のいずれか１項に記載の画像形成装置。
【請求項７】
前記ドアには、前記回転軸が配設され、
装置本体には、前記軸受けとして、装置本体の高さ方向に長軸を有する長穴が形成され、
前記ドアが前記開位置に位置する場合、前記回転軸は、前記長穴の下端に当接し、
前記ドアが前記閉位置に位置した場合には、前記位置決め機構による位置決めが行われることで、前記回転軸は、前記長穴の下端と上端の間に位置することを特徴とする請求項６に記載の画像形成装置。
【請求項８】
前記画像形成部は、像担持体と、前記像担持体を露光して像担持体の表面に潜像を形成する露光ユニットと、を有し、
前記露光ユニットを装置本体に位置決めする露光部位置決め機構が設けられ、
装置本体の高さ方向に関して、前記位置決め機構は、前記露光部位置決め機構との間の距離が、前記支持機構と前記露光部位置決め機構との間の距離よりも近くなるように配設されていることを特徴とする請求項１乃至７のいずれか１項に記載の画像形成装置。
【請求項９】
シートに画像を形成する画像形成部を有する装置本体と、
装置本体に対して開位置と閉位置との間を移動可能に設けられたドアと、
手差しされたシートを前記画像形成部に給送するために手差しシートを積載するための、前記ドアに設けられた手差しトレーと、
を備えた画像形成装置において、
装置本体に対して前記ドアを開閉可能に支持する支持機構と、
前記ドアが前記閉位置に位置する場合に、装置本体に対する前記ドアの位置決めを行う位置決め機構と、
を備え、
前記手差しトレーは、前記ドアに対して開位置と閉位置との間を移動可能に設けられ、
前記位置決め機構は、前記手差しトレーの回転軸方向の端部側に設けられ、
前記ドア及び前記手差しトレーが閉位置に位置する場合に、前記位置決め機構と前記手差しトレーとは、前記回転軸方向と平行な直線上に設けられていることを特徴とする画像形成装置。
【手続補正２】
【補正対象書類名】明細書
【補正対象項目名】０００７
【補正方法】変更
【補正の内容】
【０００７】
上記目的を達成するために本発明にあっては、
シートに画像を形成する画像形成部を有する装置本体と、
装置本体に対して開位置と閉位置との間を移動可能に設けられたドアと、
手差しされたシートを前記画像形成部に給送する、前記ドアに設けられた手差し給送部と、
を備えた画像形成装置において、
装置本体に対して前記ドアを開閉可能に支持する支持機構と、
前記ドアが前記閉位置に位置する場合に、装置本体に対する前記ドアの位置決めを行う位置決め機構と、
を備え、
前記位置決め機構は、前記手差し給送部との間の距離が、前記支持機構と前記手差し給送部との間の距離よりも近くなるように配設されていることを特徴とする。
また、シートに画像を形成する画像形成部を有する装置本体と、
装置本体に対して開位置と閉位置との間を移動可能に設けられたドアと、
手差しされたシートを前記画像形成部に給送するために手差しシートを積載するための、前記ドアに設けられた手差しトレーと、
を備えた画像形成装置において、
装置本体に対して前記ドアを開閉可能に支持する支持機構と、
前記ドアが前記閉位置に位置する場合に、装置本体に対する前記ドアの位置決めを行う位置決め機構と、
を備え、
前記手差しトレーは、前記ドアに対して開位置と閉位置との間を移動可能に設けられ、
前記位置決め機構は、前記手差しトレーの回転軸方向の端部側に設けられ、
前記ドア及び前記手差しトレーが閉位置に位置する場合に、前記位置決め機構と前記手差しトレーとは、前記回転軸方向と平行な直線上に設けられていることを特徴とする。
【手続補正３】
【補正対象書類名】明細書
【補正対象項目名】００２５
【補正方法】変更
【補正の内容】
【００２５】
本実施例の扉ユニット４０においては、図３、４に示すように、手差し給送部３に対する位置が、回転軸５１よりも近い位置に、突起部（凸部）で構成される扉側位置決め部５５が形成されている。この扉側位置決め部５５が、装置本体１Ａに設けられた本体側位置決め部５６の穴（凹部）に係合することで、装置本体１Ａに対する扉ユニット４０の位置決めが行われるように構成されている。扉側位置決め部５５及び本体側位置決め部５６は、位置決め機構を構成している。
このように本実施例においては、扉側位置決め部５５（位置決め機構）は、手差し給送部３との距離Ｌ１が、回転軸５１（支持機構）と手差し給送部３との距離Ｌ２よりも近くなるように構成されていることを特徴としている。 
【手続補正４】
【補正対象書類名】明細書
【補正対象項目名】００３０
【補正方法】変更
【補正の内容】
【００３０】
本実施例においては、上述の通り、扉側位置決め部５５は、手差し給送部３との距離Ｌ１が、回転軸５１と手差し給送部３との距離Ｌ２よりも近くなるように構成されている。このように、回転軸５１よりも手差し給送部３に近い位置で、装置本体１Ａに対する扉ユニット４０の位置決めを行うことで、組立誤差、部品公差等の影響を最小限に抑えることができる。これにより、扉ユニット４０に設けられている搬送路４８と、装置本体１Ａ側の搬送路４９との位置決めも高い精度となる。
したがって、手差し給送部３から給送されるシートＰを装置本体１Ａ側の搬送路の所定の位置に精度良く搬送することができ、その結果、搬送路同士の合流部ズレによる印字精度の低下やジャムの発生を抑えることができる。このように、本実施例の構成により、シ
ート搬送性能及び手差しシート給送時の印字精度を向上させることができる。 
【手続補正５】
【補正対象書類名】図面
【補正対象項目名】図３
【補正方法】変更
【補正の内容】
【図３】
2016109908.tif 000001